(57)【要約】【課題】  ベルトのような帯状体の着脱が容易であり、ダンボール箱などの方形箱を損傷することがなく、方形箱の間に挿入し易く且つ保持力が高く、未使用時の収納性に優れ、衝撃に強いコーナー保持具を提供する。【解決手段】  コーナー保持部材２における少なくとも一方の側板部の外面側に、帯状体を係止するための係止部５を設けている。係止部５は、側板部３ａ、３ｂの最外面より内側に設けられ、これにより方形箱の損傷などを防止している。挿込片４の周縁を略円弧状とすることにより、方形箱の間に挿入し易くし、且つ保持力を高めている。【選択図】  図１
2005145467.tif 000002
【特許請求の範囲】
【請求項１】
互いに略直角となるように設けられた２つの側板部からなるＬ字状のコーナー保持部材と、
前記コーナー保持部材の両側板部から内方へ、これらと互いに略垂直となるように延設された挿込片とを備える荷崩れ防止用のコーナー保持具であって、
前記コーナー保持部材における少なくとも一方の側板部の外面側に、帯状体を係止するための係止部を備えることを特徴とするコーナー保持具。
【請求項２】
前記係止部が、前記側板部の最外面より外側に突出しないように設けられていることを特徴とする請求項１に記載のコーナー保持具。
【請求項３】
前記挿込片が、２つの側板部の各側端を結ぶ周縁を有する板形状であり、該周縁が略円弧状であることを特徴とする請求項１または２に記載のコーナー保持具。
【請求項４】
一方のコーナー保持具と、これと天地を逆転させた状態の他方のコーナー保持具との互いの側端を突き合わせて箱状とする際に、前記挿込片同士が突き当たらないように、該挿込片が前記コーナー保持部材の高さ方向中央位置からずらした位置に設けられていることを特徴とする請求項１〜３のいずれかに記載のコーナー保持具。
【請求項５】
前記側板部の上端に凹部もしくは凸部を設けるとともに、その下端にこれと嵌合する凸部もしくは凹部を設けたことを特徴とする請求項１〜４のいずれかに記載のコーナー保持具。
【請求項６】
前記側板部の外面側にリブが設けられていることを特徴とする請求項１〜５のいずれかに記載のコーナー保持具。
【発明の詳細な説明】
【技術分野】
【０００１】
本発明は、商品を収納した方形箱などの積載物をパレットに積載してフォークリフトで移送させる際などに、積載物を保持して荷崩れを防止するためのコーナー保持具に関する。
【背景技術】
【０００２】
従来、商品の流通過程などにおいて商品を移送する際には、商品を収納したダンボール箱などの方形箱を積載パレットに積載し、フォークリフトのような移送手段によってパレットごとまとめて移送している。
【０００３】
このように積載パレットに積載された方形箱は、移送時などにおいて、特に上部側に積載されたものがずれて荷崩れし易い。この荷崩れを防止するために、例えばプラスチックフィルムを上下に段積みされた方形箱の双方に接するように周囲に巻き付けて固定する方法が採られている。
【０００４】
しかし、このプラスチックフィルムで巻き付ける方法では、フィルムを一度使用した後に再利用できないなどの問題点がある。そこで、図１３（ａ）、（ｂ）に示したようなＬ字状のコーナー保持具を上下に段積みされた方形箱の双方の角部に接するように当接させ、これらの保持具にロープもしくはベルトを引掛けて固定し、これによって積載された方形箱を保持することが提案されている（特許文献１〜３を参照）。
【０００５】
この従来のコーナー保持具１０１は、互いに略直角となるように設けられた２つの側板部１０３ａおよび１０３ｂからなるＬ字状のコーナー保持部材１０２と、このコーナー保持部材１０２の両側板部から内方へ、これらと互いに略垂直となるように延設された挿込片１０４とを備えている。コーナー保持部材１０２は、その内面側で方形箱と当接し、挿込片１０４の上部で上側の方形箱の下端側角部と、挿込片１０４の下部で下側の方形箱の上端側角部と当接する。この際挿込片１０４は上下の方形箱の間に挿し込まれ、これにより保持具１０１が方形箱に仮着され、次いでこれらの保持具に引掛けられたロープもしくはベルトを締め付けて固定する。
【特許文献１】特開平６−２５５６６７号公報
【特許文献２】特許第３１１９８０７号明細書
【特許文献３】特開２００２−２４９１６０号公報
【発明の開示】
【発明が解決しようとする課題】
【０００６】
しかしながら、従来のコーナー保持具では次のような問題点があった。すなわち図１３（ａ）のコーナー保持具１０１のように、ベルト１３６をコーナー保持部材１０２に形成された一方の縦長孔１３５に内面側から外面側へ通し、再び外面側から他方の縦長孔１３５に内面側へ通して引掛けるようにした場合、ベルト１３６の着脱操作と、ベルト１３６をコーナー保持具１０１へ引掛けた位置で長手方向へずらす操作が煩雑である。
【０００７】
また、図１３（ｂ）のコーナー保持具１０１のように、コーナー保持部材１０２の外面側に突起１３１を設け、この突起１３１にロープなどを引掛けて固定する場合では、ロープなどを引掛けるための部分がコーナー保持部材１０２の外面から突出して設けられているため、この突出部分が、保持具１０１を取り付けるもの以外の他のダンボール箱を損傷することがあり、あるいは突出部分が破損することがある。
【０００８】
また、挿込片１０４を上下のダンボール箱の間に挿し込む際に、例えば図１３（ａ）のような細長い舌片状の挿込片１０４では挿し込み時に破損することがあり、あるいはダンボール箱を損傷することがある。図１３（ｂ）のように２つの側板部１０３ａ、１０３ｂの各側端を結ぶ周縁が直線である三角形状の挿込片１０４であっても、ダンボール箱の間に挿し込み難い。また上下のダンボール箱との接触面積が必ずしも充分ではなく、これがダンボール箱に対する保持力に影響する。
【０００９】
そして、上述したような従来のコーナー保持具では、未使用時における保管に関しては何ら考慮されていなかった。
【００１０】
本発明は、上述した従来技術の問題点を解決するために為されたものであり、ベルトのような帯状体の着脱が容易であり、ダンボール箱などの方形箱を損傷することがなく、方形箱の間に挿入し易く且つ保持力が高く、未使用時の収納性に優れ、衝撃に強いコーナー保持具を提供することを目的としている。
【課題を解決するための手段】
【００１１】
上記の目的を達成するために本発明のコーナー保持具は、互いに略直角となるように設けられた２つの側板部からなるＬ字状のコーナー保持部材と、
前記コーナー保持部材の両側板部から内方へ、これらと互いに略垂直となるように延設された挿込片とを備える荷崩れ防止用のコーナー保持具であって、
前記コーナー保持部材における少なくとも一方の側板部の外面側に、帯状体を係止するための係止部を備えることを特徴とする。
【００１２】
このように構成することにより、保持操作を行う際には、挿入片を上下の方形箱の間に挿し込んでコーナー保持具を仮着し、次いでこの保持具の外面側に設けられた係止部にベルトのような帯状体を引掛けて係止した後、各隅のコーナー保持具に案内されて方形箱の外周に沿って仮止めされた帯状体の両端を引張ることによって、方形箱の外周に沿って締め付けて固定することができる。したがって、帯状体のコーナー保持具への取り付けは容易であり、さらに、締め付け前に帯状体をその長手方向へ容易にずらすことができる。また、使用後にコーナー保持具から帯状体を取り外す際には、帯状体の両端の固定を解除すれば、帯状体はコーナー保持具の外面側に沿って、長手方向へ移動自在に係止部で係止されているだけであり、容易に取り外すことができる。
【００１３】
さらに本発明のコーナー保持具は、前記係止部が、前記側板部の最外面より外側に突出しないように設けられていることを特徴とする。
【００１４】
このように構成することにより、例えば側板部の外面側に設けられたリブもしくはフランジなどの外側端部で規定される側板部の最外面よりも、係止部の係止部材が内側にあるため、係止部材は側板部から突出していない。したがって、保持具を取り付けるもの以外の他の方形箱を損傷することがなく、また係止部材の破損を防止することができる。
【００１５】
さらに本発明のコーナー保持具は、前記挿込片が、２つの側板部の各側端を結ぶ周縁を有する板形状であり、該周縁が略円弧状であることを特徴とする。
【００１６】
このように構成することにより、挿込片の周縁が略円弧状であるために方形箱の間へ容易に挿し込むことができる。また、挿込片は側板部の一側端から他側端までを基端として扇状に延出しているため、上下のダンボール箱との接触面積が広く、これによりダンボール箱に対する保持力を高めることができる。
【００１７】
さらに本発明のコーナー保持具は、一方のコーナー保持具と、これと天地を逆転させた
状態の他方のコーナー保持具との互いの側端を突き合わせて箱状とする際に、前記挿込片同士が突き当たらないように、該挿込片が前記コーナー保持部材の高さ方向中央位置からずらした位置に設けられていることを特徴とする。
【００１８】
コーナー保持具を収納保管するために２つのコーナー保持具の互いの側端を突き合わせて箱状とする際に、上記したように扇状の挿込片を設けた場合には、側板部の一側端と他側端とを結ぶ直線よりも外側へ延出する部分が存在するため、互いのコーナー保持具の挿込片の高さ位置が同一であると、挿込片の円弧状端部同士が突き当たるために箱状とすることができない。このため、上記のように挿込片がコーナー保持部材の高さ方向中央位置からずらした位置に設けることとしている。このように構成することにより、一方のコーナー保持具と他方のコーナー保持具とを互いに上下を反対にした状態でこれらの側端を突き合わせることによって、挿込片の高さ位置が同一ではなく互いにずれるため、挿込片同士が突き当たることなく互いに重なるようになり、箱状としてコンパクトに収納保管することができる。
【００１９】
さらに本発明のコーナー保持具は、前記側板部の上端に凹部もしくは凸部を設けるとともに、その下端にこれと嵌合する凸部もしくは凹部を設けたことを特徴とする。
【００２０】
このように構成することにより、未使用時にコーナー保持具を収納保管する際に、上端に凹部もしくは凸部が設けられた一方のコーナー保持具に、下端にこれと嵌合する凸部もしくは凹部が設けられた他方のコーナー保持具が所定の位置関係で、例えば上下方向へ一列上に段積みされ固定される。したがって、例えば前述したように２つのコーナー保持具を合わせて箱状とし、この箱状体を上下方向へ凹部と凸部との嵌合により一列状に段積みし、この箱状体を段積みしたもの同士を間隔を詰めて並置することにより、コンパクトに、容易に崩れることなく保管することができる。
【００２１】
さらに本発明のコーナー保持具は、前記側板部の外面側にリブが設けられていることを特徴とする。
【００２２】
これにより、コーナー保持部材が補強され、コーナー保持具に衝撃が与えられた際に保持具の破損を防止することができる。
【発明の効果】
【００２３】
本発明のコーナー保持具は、第一に、ベルトのような帯状体の着脱が容易である。第二に、ダンボール箱などの方形箱を損傷することがないとともに、係止部の破損を防止することができる。第三に、コーナー保持具を方形箱の間に挿入し易く且つ保持力が高い。第四に、未使用時の収納性に優れている。第五に、衝撃に対する強さに優れている。
【発明を実施するための最良の形態】
【００２４】
以下、本発明について図面を参照しながら詳細に説明する。図１は本発明に係るコーナー保持具の第１の実施例を側板部の外面側から見た斜視図、図２はこのコーナー保持具を側板部の内面側から見た斜視図、図３はこのコーナー保持具の外面側にベルトを引掛けた状態を示した斜視図である。このコーナー保持具１は、樹脂成型により形成したものであり、互いに略直角となるように設けられた２つの側板部３ａ、３ｂからなるＬ字状のコーナー保持部材２と、側板部３ａ、３ｂから内方へ、これらと互いに略垂直となるように延設された挿込片４とを備えている。
【００２５】
コーナー保持部材２の一方の側板部３ａの外面側には、ベルト７のような帯状体を係止するための係止部５が設けられている。図３に示したように、ベルト７は係止部５に設けられた係止部材５ａの内側に挟まれて係止され、コーナー保持部材２の外面側に沿って、
ベルト装着溝６に案内されて巻き付けられるようになっている。コーナー保持部材２の外面側の上部および下部には補強用のリブ８が突設され、上部側のリブ８と下部側のリブ８との間でベルト装着溝６が構成されている。
【００２６】
このように係止部５は、リブ８の外側端部で規定される側板部３ａの最外面よりも、内側に設けられている。すなわちベルト装着溝６の外側に設けられた係止部材５ａは、リブ８の外側端部で規定される側板部３ａの最外面と同一面もしくはこれよりも内側に位置し、側板部３ａから突出していない。したがって、コーナー保持具１を取り付けるもの以外の他の方形箱を損傷することがなく、また係止部材５ａの破損を防止することができる。
【００２７】
コーナー保持具１をベルト７で締め付けて方形箱に装着する際には、例えば、挿入片４を上下の方形箱の間に挿し込んでコーナー保持具１を仮着し、次いで保持具１の外面側に設けられた係止部５にベルト７を引掛けて係止した後、各隅のコーナー保持具１に案内されて方形箱の外周に沿って仮止めされたベルト７の両端を引張ることによって、方形箱の外周に沿って締め付けて固定する。締め付け方法としては、例えば、ベルト７の一方の端部にカムバックルを取り付け、ベルト７の他方の端部をバックルに通して締め付けるなど、公知の締め付け手段を用いることができる。この場合にはバックルを緩めることで締め付けを解除できる。このように、ベルト７の両端を固定する手段としては、ラッシングベルトに使用されるものなど、所定の目的を達することができればどのようなものであってもよい。図４は、第１の実施例のコーナー保持具を実際に使用した状態を示した斜視図である。このように、コーナー保持具１はパレット２１に積載された方形箱２０の各隅に、上下の方形箱２０、２０の角部を保持するように設置され、段積みされた方形箱２０の最外周に沿ってベルト７が巻き付けられる。
【００２８】
本実施例のコーナー保持具によればベルトのコーナー保持具への取り付けは容易であり、さらに、締め付け前にベルトをその長手方向へ容易にずらすことができる。また、使用後にコーナー保持具からベルトを取り外す際には、ベルトの両端の固定を解除すれば、ベルトはコーナー保持具の外面側に沿って、長手方向へ移動自在に係止部で係止されているだけであり、容易に取り外すことができる。
【００２９】
図２に示したように、本実施例では挿込片４が、２つの側板部３ａ、３ｂの各側端を結ぶ周縁を有する板形状であり、該周縁が略円弧状となっている。このように挿し込み側の端部を直線状ではなく扇状に膨出させることによって、上下の方形箱の間へ容易に挿し込むことができる。さらに、上下のダンボール箱との接触面積が広くなるため方形箱に対する保持力を高めることができる。
【００３０】
ここで「略円弧状」の周縁としては、側板部３ａ、３ｂの各側端を結ぶ直線から外方へ延出した輪郭を有していれば、必ずしも真円に準じたものである必要はなく、例えばなだらかな角部を有するようなものであってもよい。
【００３１】
さらに、挿込片４の端部断面の形状を、先端に向かって挿込片４の上下方向の厚さが薄くなるようなＲ状とすることによって、上下の方形箱の間への挿し込みがさらに容易になる。
【００３２】
図５、６に示したように、本実施例のコーナー保持具１は、２つのコーナー保持具１、１の互いの側端１１、１１を突き合わせて箱状として保管することができる。このように箱状とする際に、扇状の挿込片４には側板部３ａ、３ｂの各側端を結ぶ直線よりも外側へ延出する部分が存在するため、互いのコーナー保持具１の挿込片４の高さ位置が同一であると、挿込片４の円弧状端部同士が突き当たるために箱状とすることができない。
【００３３】
そこで、本実施例では挿込片４をコーナー保持部材２の高さ方向中央位置からずらした位置に設けている。したがって、一方のコーナー保持具１と他方のコーナー保持具１とを、互いに天地を逆転させた状態でこれらの側端１１を突き合わせることにより、挿込片４の高さ位置が同一ではなく互いにずれるため、挿込片４同士が突き当たることなく互いに重なるようになり、箱状としてコンパクトに収納保管することができる。
【００３４】
図１２は、本実施例のコーナー保持具を未使用時に収納した様子を示した斜視図である。このように、２つのコーナー保持具１を合わせて箱状とし、この箱状体を上下方向へ一列状に段積みし、この箱状体を段積みしたもの同士を間隔を詰めて並置することにより、コンパクトに保管することができる。
【００３５】
また、本実施例のコーナー保持具１は、側板部３ａ、３ｂの外面側にリブ８が突設されている。これにより、コーナー保持部材２が補強され、これに衝撃が与えられた際にもその破損を防止することができる。
【００３６】
図７は、本発明に係るコーナー保持具の第２の実施例を側板部の外面側から見た斜視図、図８は、このコーナー保持具を側板部の内面側から見た斜視図である。本実施例のコーナー保持具１では、側板部３ａに係止部５を設けるとともに、側板部３ｂにも係止部５を設けている。これにより、コーナー保持具１を方形箱に仮止し、ベルトを係止部５に引掛けて装着操作を行う際にベルトが保持具１からはずれにくくなり、ベルト装着時における操作性が向上する。なお、コーナー保持具からのベルトの着脱容易性を重視する場合には、前述した実施例１のコーナー保持具ように片方の側板部３ａに係止部５を設けることが望ましい。
【００３７】
本実施例では、挿込片４の基端側のコーナー保持部材２の直角部の位置に、側板部３ａ、３ｂに沿ったＬ字状の孔部１８を設けている。この孔部１８には、図９に示したようにＬ字アングル１９が挿入される。すなわち、コーナー保持部材２の高さよりも長いＬ字アングル１９を挿入した状態で上下の方形箱を保持することによって、上下の方形箱とＬ字アングル１９の内面側とが当接することになり、方形箱との高さ方向における接触面積が増加するため、さらに保持力を高めることができる。
【００３８】
また、Ｌ字状の孔部１８を設けることによって、コーナー保持部材２の側板部３ａ、３ｂに可撓性が付与されるため、ベルトの締め付け力を確実に積載物に伝えることができ、さらに安定した梱包が可能となる。この孔部１８の大きさや数は必要に応じて適宜設定できる。
【００３９】
図１０は、本発明に係るコーナー保持具の第３の実施例を側板部の外面側から見た斜視図である。本実施例では、リブ状の係止部材５ａを各側板部３ａ、３ｂに設けて係止部５を構成している。係止部５には、ベルト７の幅に対応した長さを有する縦長の孔が形成され、この孔にベルト７を通して案内する。また、係止部５はコーナー保持部材２の上下に設けられたフランジ１７によって規制される側板部３ａ、３ｂの最外面よりも内側に位置しており、これによって前述したように他の方形箱の損傷などを防止している。
【００４０】
図１１（ａ）は、本発明に係るコーナー保持具の第４の実施例をコーナー保持部材の下端側から見た斜視図、図１１（ｂ）は、コーナー保持部材の上端側から見た斜視図である。本実施例では、コーナー保持部材２の下端１３に凹部１５を設けるとともに（図１１（ａ））、上端１２にこれと嵌合する凸部１６を設けている（図１１（ｂ））。
【００４１】
未使用時にコーナー保持具１を収納保管する際には、一方のコーナー保持具１の上端１２に設けられた凸部１６に、他方のコーナー保持具１の下端１３に設けられた凹部１５を
嵌合させることにより、所定の位置関係で、例えば上下方向へ一列上に段積みされ固定される。例えば、２つのコーナー保持具１を合わせて箱状とし、この箱状体を上下方向へ凹部１５と凸部１６との嵌合により一列状に段積みし、この箱状体を段積みしたもの同士を間隔を詰めて並置することにより、コンパクトに、容易に崩れることなく保管することができる。
【００４２】
以上、本発明を実施例に基づいて説明したが、本発明はこれらの実施例に限定されることはなく、本発明の効果を奏する範囲内で様々な変形が可能である。例えば、係止部５は一方の側板部に複数設けてもよく、その位置も適宜設定することができる。リブ８の形状および位置も目的に応じて適宜設定することができる。実施例４の凹部１５をコーナー保持部材２の上端に設けて凸部１６を下端に設けてもよく、凹部１５および凸部１６のそれぞれの数も適宜設定することができる。
【図面の簡単な説明】
【００４３】
【図１】図１は、本発明に係るコーナー保持具の第１の実施例を側板部の外面側から見た斜視図である。
【図２】図２は、第１の実施例のコーナー保持具を側板部の内面側から見た斜視図である。
【図３】図３は、第１の実施例のコーナー保持具の外面側にベルトを引掛けた状態を示した斜視図である。
【図４】図４は、第１の実施例のコーナー保持具を積載物に対して実際に使用した状態を示した斜視図である。
【図５】図５は、収納時において２つのコーナー保持具を合わせて箱状とする際に挿込片同士が重なる様子を説明する図である。
【図６】図６は、２つのコーナー保持具を合わせて箱状とした状態の斜視図である。
【図７】図７は、本発明に係るコーナー保持具の第２の実施例を側板部の外面側から見た斜視図である。
【図８】図８は、第２の実施例のコーナー保持具を側板部の内面側から見た斜視図である。
【図９】図９は、第２の実施例のコーナー保持具に設けられたＬ字状の孔部を説明する図である。
【図１０】図１０は、本発明に係るコーナー保持具の第３の実施例を側板部の外面側から見た斜視図である。
【図１１】図１１（ａ）は、本発明に係るコーナー保持具の第４の実施例をコーナー保持部材の下端側から見た斜視図、図１１（ｂ）は、コーナー保持部材の上端側から見た斜視図である。
【図１２】図１２は、第１の実施例のコーナー保持具を未使用時に収納した様子を示した斜視図である。
【図１３】図１３（ａ）、（ｂ）は、従来のコーナー保持具を説明する図である。
【符号の説明】
【００４４】
１  コーナー保持具
２  コーナー保持部材
３ａ、３ｂ  側板部
４  挿込片
５  係止部
５ａ  係止部材
６  ベルト装着溝
７  ベルト
８  リブ
１１  側端
１２  上端
１３  下端
１５  凹部
１６  凸部
１７  フランジ
１８  孔部
１９  Ｌ字アングル
２０  方形箱
２１  パレット
【図１】
2005145467.tif 000003
【図２】
2005145467.tif 000004
【図３】
2005145467.tif 000005
【図４】
2005145467.tif 000006
【図５】
2005145467.tif 000007
【図６】
2005145467.tif 000008
【図７】
2005145467.tif 000009
【図８】
2005145467.tif 000010
【図９】
2005145467.tif 000011
【図１０】
2005145467.tif 000012
【図１１】
2005145467.tif 000013
【図１２】
2005145467.tif 000014
【図１３】
2005145467.tif 000015